(57)【要約】【課題】部品点数の削減、組み立ての簡略によりグレーチングのコストダウンを図るようにする。【解決手段】多数本のメインバー２が等間隔おきに平行状態で並び、両端に位置するメインバー２のからそれぞれ水平に連結部４，５を一体に突設してなる中間ブロック１と、多数本のメインバー７が等間隔おきに平行状態で並び、一端に位置するメインバー７から水平に中間ブロック１の一端側の一方の連結部４に対して連結される連結部９を一体に突設し、他端に位置するメインバー７側には側端部バー１０を備えた一方の端部ブロック６と、多数本のメインバー１２が等間隔おきに平行状態で並び、一端に位置するメインバー１２から水平に中間ブロック１の他端側の他方の連結部５に対して連結される連結部１４を一体に突設し、他端に位置するメインバー１２側には側端部バー１５を備えた他方の端部ブロック１１とを備えてなる。【選択図】    図４
2005281992.tif 000002
【特許請求の範囲】
【請求項１】
多数本のメインバーが等間隔おきに平行状態で並び隣り合うメインバー間をメインバーの上下方向中間部において水平な板部で一体に繋ぎ、両端に位置するメインバーの上下方向中間部からそれぞれ水平に連結部を一体に突設してなる中間ブロックと、多数本のメインバーが等間隔おきに平行状態で並び隣り合うメインバー間をメインバーの上下方向中間部において水平な板部で一体に繋ぎ、一端に位置するメインバーの上下方向中間部から水平に前記中間ブロックの一端側の一方の連結部に対して連結される連結部を一体に突設し、他端に位置するメインバー側には上下方向中間部において水平な板部で一体に繋がれた側端部バーを備えた一方の端部ブロックと、多数本のメインバーが等間隔おきに平行状態で並び隣り合うメインバー間をメインバーの上下方向中間部において水平な板部で一体に繋ぎ、一端に位置するメインバーの上下方向中間部から水平に前記中間ブロックの他端側の他方の連結部に対して連結される連結部を一体に突設し、他端に位置するメインバー側には上下方向中間部において水平な板部で一体に繋がれた側端部バーを備えた他方の端部ブロックと、グレーチングの長さ方向に向く両側端面に当てて取り付けられる側板とからなり、側板を取り付けるビスを前記ブロック間を繋ぐ連結部間にねじ込むようにしたことを特徴とするグレーチング。
【請求項２】
複数の中間ブロックを備え、隣り合う中間ブロック同士は隣り合う一方の中間ブロックの一方の連結部と他方の中間ブロックの他方の連結部を互いに係合させるようにしたことを特徴とする請求項１記載のグレーチング。
【発明の詳細な説明】
【技術分野】
【０００１】
本発明は、グレーチングに関するものである。
【背景技術】
【０００２】
従来、建物外における道路の側溝や、建物内の厨房室の床面に形成される排水用の溝の上端を覆うためのグレーチングの殆どは、多数本の並べられたメインバーの孔にクロスバーを挿通させ、メインバーとクロスバーとを結合させることにより組み立てられているのが現状である。
【０００３】
特許文献１に従来のグレーチングの一例を示し、平行状態で多数並べられた板状のメインバーの孔に板状のクロスバーを挿通させ、クロスバーを捩る方向に回転させて起立させることによりメインバーにクロスバーを固定させ、グレーチングを組み立てるようにしたものが知られている。
【特許文献１】実開昭５９−１６０６６４号公報
【発明の開示】
【発明が解決しようとする課題】
【０００４】
しかしながら、このように多数本の並べられたメインバーの孔にクロスバーを挿通させ、メインバーとクロスバーとを結合させてなるグレーチングは、部品点数が多く、組み立てにも時間がかかり、コストアップになるという問題があった。
【０００５】
本発明の目的は、このような課題を解決するものであり、部品点数の削減、組み立ての簡略によりグレーチングのコストダウンを図るようにすることにある。
【課題を解決するための手段】
【０００６】
本発明の請求項１に記載のグレーチングは、多数本のメインバーが等間隔おきに平行状態で並び隣り合うメインバー間をメインバーの上下方向中間部において水平な板部で一体に繋ぎ、両端に位置するメインバーの上下方向中間部からそれぞれ水平に連結部を一体に突設してなる中間ブロックと、多数本のメインバーが等間隔おきに平行状態で並び隣り合うメインバー間をメインバーの上下方向中間部において水平な板部で一体に繋ぎ、一端に位置するメインバーの上下方向中間部から水平に前記中間ブロックの一端側の一方の連結部に対して連結される連結部を一体に突設し、他端に位置するメインバー側には上下方向中間部において水平な板部で一体に繋がれた側端部バーを備えた一方の端部ブロックと、多数本のメインバーが等間隔おきに平行状態で並び隣り合うメインバー間をメインバーの上下方向中間部において水平な板部で一体に繋ぎ、一端に位置するメインバーの上下方向中間部から水平に前記中間ブロックの他端側の他方の連結部に対して連結される連結部を一体に突設し、他端に位置するメインバー側には上下方向中間部において水平な板部で一体に繋がれた側端部バーを備えた他方の端部ブロックと、グレーチングの長さ方向に向く両側端面に当てて取り付けられる側板とからなり、側板を取り付けるビスを前記ブロック間を繋ぐ連結部間にねじ込むようにしたことを特徴とする。
【０００７】
請求項２に記載のグレーチングは、複数の中間ブロックを備え、隣り合う中間ブロック同士は隣り合う一方の中間ブロックの一方の連結部と他方の中間ブロックの他方の連結部を互いに係合させるようにしたことを特徴とする。
【発明の効果】
【０００８】
以上のように、本発明のグレーチングは、中間ブロックと端部ブロックを繋いで側板をビス止めすることによりグレーチングの組み立てが容易に行なえ、しかも部品点数が少ないので取り扱いやすく、組み立てを簡略化でき、コストダウンを図ることができる。また、連結部をもって繋がれたブロックに側板を当ててビス止めしたときビスによって連結部間の横ずれを防止して連結部間の係合を強固に行なうことができる。
【発明を実施するための最良の形態】
【０００９】
以下、本発明の一実施の形態を、図１〜図９を用いて具体的に説明する。
図において、１は多数本のメインバー２が等間隔おきに平行状態で並び隣り合うメインバー２，２間をメインバー２の上下方向中間部において水平な板部３で一体に繋ぎ、両端に位置するメインバー２，２の上下方向中間部から水平に連結部４，５を一体に突設してなる中間ブロックであり、グレーチングの長さ方向両端部を除く中間部を形成する。
【００１０】
６は多数本のメインバー７が等間隔おきに平行状態で並び隣り合うメインバー７，７間をメインバー７の上下方向中間部において水平な板部８で一体に繋ぎ、一端に位置するメインバー７の上下方向中間部から水平に前記中間ブロック１の一端側の一方の連結部４に対して連結される連結部９を一体に突設し、他端に位置するメインバー７側には上下方向中間部において水平な板部８で一体に繋がれた側端部バー１０を備えた一方の端部ブロックであり、グレーチングの長さ方向一端部を形成する。
【００１１】
１１は多数本のメインバー１２が等間隔おきに平行状態で並び隣り合うメインバー１２，１２間をメインバー１２の上下方向中間部において水平な板部１３で一体に繋ぎ、一端に位置するメインバー１２の上下方向中間部から水平に前記中間ブロック１の他端側の他方の連結部５に対して連結される連結部１４を一体に突設し、他端に位置するメインバー１２側には上下方向中間部において水平な板部１３で一体に繋がれた側端部バー１５を備えた他方の端部ブロックであり、グレーチングの長さ方向他端部を形成する。
【００１２】
これら、中間ブロック１および端部ブロック６，１１は共にアルミの押出しにより作られて所望の幅に切断されるのである。所望の幅に切断された中間ブロック１および端部ブロック６，１１において、水平な板部３、８、１３にはそれぞれブロックの幅方向２箇所で上下方向に貫通する排水孔３ａ、８ａ、１３ａが形成され、また前記連結部４、５、９、１４は各ブロックの幅方向両端にのみ存在するように各ブロックの幅方向中間部で切除されて両端の連結部４，４間、連結部５，５間、連結部９，９間、連結部１４，１４間を排水孔としている。そして、前記中間ブロック１の連結部４，５の内、一方の連結部４は上面に段差部４ａが形成され、この段差部４ａの下端部における先端および上端部における先端にはそれぞれ爪片４ｂおよび４ｃが形成され、また他方の連結部５は下面に段差部５ａが形成され、この段差部５ａの下端部における先端および上端部における先端にはそれぞれ前記一方の連結部４の爪片４ｂおよび４ｃと係合する爪片５ｂおよび５ｃが形成されている。複数の中間ブロック１を繋ぐ場合、隣り合う一方の中間ブロック１の連結部４の爪片４ｂおよび爪片４ｃと他方の中間ブロック１の連結部５の爪片５ｂおよび爪片５ｃが互いに係合した状態で両連結部４，５間に水平方向に向く孔部１６が形成されるようになる。
【００１３】
また、前記一方の端部ブロック６の連結部９は前記中間ブロック１の他方の連結部５と同じ構成となっおり、下面に段差部９ａが形成され、この段差部９ａの下端部における先端および上端部における先端にはそれぞれ前記中間ブロック１の一方の連結部４の爪片４ｂおよび４ｃと係合する爪片９ｂおよび９ｃが形成されている。そして、この一方の端部ブロック６と中間ブロック１を繋ぐ場合、中間ブロック１の一方の連結部４の爪片４ｂおよび爪片４ｃと一方の端部ブロック６の連結部９の爪片９ｂおよび爪片９ｃが互いに係合した状態で両連結部４，９間に水平方向に向く断面六角形状の孔部１７が形成されるようになる。
【００１４】
また、前記他方の端部ブロック１１の連結部１４は前記中間ブロック１の一方の連結部４と同じ構成となっており、上面に段差部１４ａが形成され、この段差部１４ａの下端部における先端および上端部における先端にはそれぞれ前記中間ブロック１の他方の連結部５の爪片５ｂおよび５ｃと係合する爪片１４ｂおよび１４ｃが形成されている。そして、この他方の端部ブロック１１と中間ブロック１を繋ぐ場合、中間ブロック１の他方の連結部５の爪片５ｂおよび爪片５ｃと他方の端部ブロック１１の連結部１４の爪片１４ｂおよび爪片１４ｃが互いに係合した状態で両連結部５，１４間に水平方向に向く断面六角形状の孔部１８が形成されるようになる。
【００１５】
さらに、前記端部ブロック６および１１の側端部バー１０および１５の上下両端近傍部には前記孔部１６，１７，１８とほぼ同形状の孔部１０ａおよび１５ａが形成されている。
【００１６】
グレーチングを組み立てる場合、使用される中間ブロック１の数はグレーチングの長さによって決まり、１乃至複数の中間ブロック１が使用される。隣り合う中間ブロック１同士は前述のように隣り合う一方の中間ブロック１の連結部４の爪片４ｂおよび爪片４ｃと他方の中間ブロック１の連結部５の爪片５ｂおよび爪片５ｃを互いに係合させ、またグレーチングの長さ方向一端部を形成する一方の端部ブロック６と中間ブロック１とは前述のように中間ブロック１の一方の連結部４の爪片４ｂおよび爪片４ｃと一方の端部ブロック６の連結部９の爪片９ｂおよび爪片９ｃを互いに係合させ、さらにグレーチングの長さ方向他端部を形成する他方の端部ブロック１１と中間ブロック１とは前述のように中間ブロック１の他方の連結部５の爪片５ｂおよび爪片５ｃと他方の端部ブロック１１の連結部１４の爪片１４ｂおよび爪片１４ｃを互いに係合させた状態とする。
【００１７】
かかる状態で、グレーチングの長さ方向に向く両側端面にアルミの押出しにより作られた側板１９を当てて、前記中間ブロック１と端部ブロック６および１１を繋ぐことによって形成された前記孔部１６，１７，１８および孔部１０ａ，１５ａに対しタッピング用のビス２０をねじ込むことによりグレーチングの組み立てが完成する。なお、孔部１６，１７，１８に対しビス２０をねじ込むことにより連結部４，５間、連結部４，９間、連結部５，１４間の横ずれを防止して連結部４，５間、連結部４，９間、連結部５，１４間の係合がより強固となる。
【００１８】
ところで、前記中間ブロック１のメインバー２の上下両端面、一方の端部ブロック６のメインバー７および側端部バー１０の上下両端面、他方の端部ブロック１１のメインバー１２および側端部バー１５の上下両端面にはグレーチングの幅方向に凹凸状の溝２１，２２，２３が形成されて滑り止め効果が得られるようになっているが、さらに必要に応じて前記溝２１に対して直交する方向の溝も適所に形成しておくことも可能である。
【００１９】
さらに図面からも分かるように、本実施の形態では中間ブロック１、一方の端部ブロック６、他方の端部ブロック１１は上下反転させて使用できる構成となっており、一方の端部ブロック６と他方の端部ブロック１１については同じものを互いに上下逆に向けて使用するものである。
【００２０】
なお、前記中間ブロック１、一方の端部ブロック６、他方の端部ブロック１１、側板１９はアルミの押出しにより作られているが、合成樹脂を材料に用いて作られていても良い。
【図面の簡単な説明】
【００２１】
【図１】本発明の一実施の形態におけるグレーチングに使用される中間ブロックの正面図である。
【図２】同グレーチングに使用される一方の端部ブロックの正面図である。
【図３】同グレーチングに使用される他方の端部ブロックの正面図である。
【図４】同中間ブロックと一方の端部ブロックおよび他方の端部ブロックを繋いだ状態を示す正面図である。
【図５】同グレーチングに使用される側板の正面図である。
【図６】同グレーチングに使用される側板の側面断面図である。
【図７】同完成状態のグレーチングの平面図である。
【図８】同完成状態のグレーチングの斜視図である。
【図９】図７のＸ−Ｘ矢視図である。
【符号の説明】
【００２２】
１                        中間ブロック
２                        メインバー
３                        板部
４，５                    連結部
４ａ，５ａ                段差部
４ｂ，４ｃ，５ｂ，５ｃ    爪片
６                        一方の端部ブロック
７                        メインバー
８                        板部
９                        連結部
９ａ                      段差部
９ｂ，９ｃ                爪片
１０                        側端部バー
１０ａ                      孔部
１１                        他方の端部ブロック
１２                        メインバー
１３                        板部
１４                        連結部
１４ａ                      段差部
１４ｂ，１４ｃ              爪片
１５                        側端部バー
１５ａ                      孔部
１６，１７，１８            孔部
１９                        側板
２０                        ビス
【図１】
2005281992.tif 000003
【図２】
2005281992.tif 000004
【図３】
2005281992.tif 000005
【図４】
2005281992.tif 000006
【図５】
2005281992.tif 000007
【図６】
2005281992.tif 000008
【図７】
2005281992.tif 000009
【図８】
2005281992.tif 000010
【図９】
2005281992.tif 000011